(57)【特許請求の範囲】
【請求項１】
基板上に陽極を形成する工程と、
前記陽極の上方に有機発光層を形成する工程と、
前記有機発光層の上方に、アルカリ金属化合物およびアルカリ土類金属化合物の少なくとも一方からなる第１材料、当該第１材料を構成するアルカリ金属またはアルカリ土類金属に対して還元性を有する金属からなる第２材料、および電子輸送性を有する第３材料を共蒸着させることにより、前記第１材料、前記第２材料および前記第３材料を含む電子注入輸送層を形成する工程と、
前記電子注入輸送層内の前記還元性を有する金属の少なくとも一部を変質させることにより、前記第２材料に光透過性を付与する工程と、
前記光透過性を付与する工程中または当該工程後、前記電子注入輸送層の上に光透過性を有する陰極を形成する工程と、を含む、
有機ＥＬ素子の製造方法。
【請求項２】
前記陰極は導電性酸化物からなり、
前記光透過性を付与する工程中に前記陰極を形成する工程がなされ、
前記陰極を前記電子注入輸送層上に形成することにより、前記還元性を有する金属の少なくとも一部が酸化し、前記第２材料に光透過性が付与される、
請求項１に記載の有機ＥＬ素子の製造方法。
【請求項３】
前記共蒸着により形成される電子注入輸送層の膜厚は、０．１ｎｍ以上１００ｎｍ以下である、
請求項１に記載の有機ＥＬ素子の製造方法。
【請求項４】
前記導電性酸化物は、酸化インジウムスズまたは酸化インジウム亜鉛である、
請求項２に記載の有機ＥＬ素子の製造方法。
【請求項５】
前記還元性を有する金属は、アルミニウムである、
請求項１に記載の有機ＥＬ素子の製造方法。
【請求項６】
前記光透過性を付与する工程において、前記還元性を有する金属を酸化または窒化することにより、前記第２材料に光透過性が付与される、
請求項５に記載の有機ＥＬ素子の製造方法。
【請求項７】
前記還元性を有する金属は、チタンである、
請求項１に記載の有機ＥＬ素子の製造方法。
【請求項８】
前記光透過性を付与する工程において、前記還元性を有する金属を酸化することにより、前記第２材料に光透過性が付与される、
請求項７に記載の有機ＥＬ素子の製造方法。
【請求項９】
前記第１材料は、リチウムキノリン、フッ化リチウム、フッ化ナトリウムのいずれかである、
請求項１に記載の有機ＥＬ素子の製造方法。
【発明の詳細な説明】
【技術分野】
【０００１】
本発明は、有機ＥＬ素子の製造方法、および有機ＥＬ素子に関する。
【背景技術】
【０００２】
近年、基板上に有機ＥＬ素子を配設した有機ＥＬパネルが普及しつつある。有機ＥＬパネルは、自発光を行う有機ＥＬ素子を利用するため視認性が高く、さらに完全固体素子であるため耐衝撃性に優れるなどの特徴を有する。
有機ＥＬ素子は電流駆動型の発光素子であり、陽極と陰極からなる電極対の間に、キャリアである電子と正孔の再結合による電界発光現象を行う有機発光層等を積層して構成される。このような有機ＥＬ素子において、陰極と有機発光層の間に、陰極から有機発光層への電子注入を促進させる機能を有する電子注入層を備えたものがある（例えば、特許文献１，２）。
【０００３】
図１５は、特許文献１，２に係る有機ＥＬ素子９０の構造を模式的に示す断面図である。有機ＥＬ素子９０は、透明電極材料からなる陽極９１、正孔輸送層９２、有機発光層９３、電子注入層９４および陰極９５を順に形成する工程を経て製造される。正孔輸送層９２は、陽極９１から有機発光層９３への正孔の輸送を促進させる機能を有するものである。
【０００４】
特許文献１に係る電子注入層９４には、アルカリ金属イオン、アルカリ土類金属イオン、希土類金属イオンの少なくとも１種を含有する有機金属錯体化合物が用いられる。また、特許文献２に係る電子注入層９４には、上記有機金属錯体化合物と電子輸送性有機物との混合物が用いられる。さらに、陰極９５には、上記各金属イオンを真空中において還元し得る金属、例えばアルミニウム、チタン等の陰極材料が用いられる。そして、陰極９５を形成する工程にて電子注入層９４上に上記陰極材料を成膜することで、当該陰極材料の還元力により電子注入層９４の有機金属錯体化合物に含まれる上記各金属が解離する。この解離した金属により、陰極９５の準位と有機発光層９３の準位との間に新たな準位が形成されるため、有機発光層９３への電子注入障壁を小さくすることができる。この結果、陰極９５から有機発光層９３への電子注入効率を向上させることが可能となる。
【先行技術文献】
【特許文献】
【０００５】
【特許文献１】特開平１１−２３３２６２号公報
【特許文献２】特開２０００−１８２７７４号公報
【非特許文献】
【０００６】
【非特許文献１】三井造船株式会社発行「三井造船技報第１９４号」、２００８年６月、ｐ．１１
【発明の概要】
【発明が解決しようとする課題】
【０００７】
有機ＥＬパネルの中でも、陰極側から光を取り出す、所謂トップエミッション型のものは、有機発光層からの出射光を有効に利用して輝度を向上させることができる点で注目を浴びている。しかしながら、上述した手順で有機ＥＬパネルを製造した場合、高い電子注入効率が得られるものの、陰極９５が光透過性を有しないためトップエミッション型とすることができない。なお、単に、陰極９５の材料を酸化インジウムスズ（ＩＴＯ）、酸化インジウム亜鉛（ＩＺＯ）等の透明導電材料に変えたとしても、これらの透明導電材料は還元力を殆ど有しないため、上記有機金属錯体化合物の金属を解離させることはできない。
【０００８】
本発明は、上記課題に鑑みてなされたものであり、トップエミッション型有機ＥＬパネルの実現と電子注入効率の向上を両立させることが可能な有機ＥＬ素子の製造方法等を提供することを目的とする。
【課題を解決するための手段】
【０００９】
本発明の一態様である有機ＥＬ素子の製造方法は、基板上に陽極を形成する工程と、前記陽極の上方に有機発光層を形成する工程と、前記有機発光層の上方に、アルカリ金属化合物およびアルカリ土類金属化合物の少なくとも一方からなる第１材料、当該第１材料を構成するアルカリ金属またはアルカリ土類金属に対して還元性を有する金属からなる第２材料、および電子輸送性を有する第３材料を含む電子注入輸送層を形成する工程と、前記電子注入輸送層内の前記還元性を有する金属の少なくとも一部を変質させることにより、前記第２材料に光透過性を付与する工程と、前記光透過性を付与する工程中または当該工程後、前記電子注入輸送層の上に光透過性を有する陰極を形成する工程と、を含む。
【発明の効果】
【００１０】
本発明の一態様に係る有機ＥＬ素子の製造方法によれば、有機発光層の上方に、アルカリ金属化合物およびアルカリ土類金属化合物の少なくとも一方からなる第１材料、当該第１材料を構成するアルカリ金属またはアルカリ土類金属に対して還元性を有する金属からなる第２材料、および電子輸送性を有する第３材料を含む電子注入輸送層を形成する工程が含まれる。本工程により、第１材料と第２材料とが作用し、第１材料に含まれるアルカリ金属またはアルカリ土類金属が還元される。これにより、第１材料に含まれるアルカリ金属またはアルカリ土類金属が解離されるので、特許文献１，２と同様に高い電子注入効率を得ることが可能である。
【００１１】
本発明の一態様ではこの後、電子注入輸送層内の還元性を有する金属の少なくとも一部を変質させることにより、第２材料に光透過性を付与する工程が行われる。本工程を行うことで、有機発光層からの出射光は、第２材料に遮蔽されることなく電子注入輸送層を透過する。また、電子注入輸送層上に形成される陰極も光透過性を有するため、陰極が有機発光層からの出射光を遮ることもない。
【００１２】
したがって、本発明の一態様によれば、トップエミッション型有機ＥＬパネルの実現と電子注入効率の向上を両立させることが可能な有機ＥＬ素子の製造方法等を提供することが可能である。
【図面の簡単な説明】
【００１３】
【図１】実施の形態１に係る有機ＥＬパネル１０の構成を示す部分断面図である。
【図２】実施の形態１に係る有機ＥＬパネル１０におけるバンク１５の形状を示す模式平面図である。
【図３】実施の形態１に係る有機ＥＬパネル１０の製造工程例を示す図である。
【図４】実施の形態１に係る有機ＥＬパネル１０の製造工程例を示す図である。
【図５】実施の形態１に係る有機ＥＬパネル１０の製造工程例を示す図である。
【図６】実施の形態１に係る有機ＥＬパネル１０の構成を示す部分断面図である。
【図７】第１混合層、アルミニウム層およびＩＴＯ層からなる積層体の透過スペクトルを示す図である。
【図８】ガラス基板の透過スペクトルと、ガラス基板と酸化アルミニウム薄膜の積層体の透過スペクトルを示す図である。
【図９】実施の形態１の変形例に係る有機ＥＬパネルの製造工程例を示す図である。
【図１０】実施の形態１の変形例に係る有機ＥＬパネルの構成を示す部分断面図である。
【図１１】実施の形態２に係る有機ＥＬパネルの製造工程例を示す図である。
【図１２】実施の形態２に係る有機ＥＬパネルの構成を示す部分断面図である。
【図１３】実施の形態３に係る有機ＥＬパネルの製造工程例を示す図である。
【図１４】実施の形態３に係る有機ＥＬパネルの構成を示す部分断面図である。
【図１５】特許文献１，２に係る有機ＥＬ素子９０の構造を模式的に示す断面図である。
【発明を実施するための形態】
【００１４】
≪本発明の一態様の概要≫
本発明の一態様に係る有機ＥＬ素子の製造方法は、基板上に陽極を形成する工程と、前記陽極の上方に有機発光層を形成する工程と、前記有機発光層の上方に、アルカリ金属化合物およびアルカリ土類金属化合物の少なくとも一方からなる第１材料、当該第１材料を構成するアルカリ金属またはアルカリ土類金属に対して還元性を有する金属からなる第２材料、および電子輸送性を有する第３材料を含む電子注入輸送層を形成する工程と、前記電子注入輸送層内の前記還元性を有する金属の少なくとも一部を変質させることにより、前記第２材料に光透過性を付与する工程と、前記光透過性を付与する工程中または当該工程後、前記電子注入輸送層の上に光透過性を有する陰極を形成する工程と、を含む。
【００１５】
また、本発明の一態様に係る有機ＥＬ素子の製造方法の特定の局面では、前記陰極は導電性酸化物からなり、前記光透過性を付与する工程中に前記陰極を形成する工程がなされ、前記陰極を前記電子注入輸送層上に形成することにより、前記還元性を有する金属の少なくとも一部が酸化し、前記第２材料に光透過性が付与される。
また、本発明の一態様に係る有機ＥＬ素子の製造方法の特定の局面では、前記有機発光層の上方に、前記第１材料と前記第３材料を含む層、前記第２材料を含む層を順次形成することにより、前記電子注入輸送層を形成する。
【００１６】
また、本発明の一態様に係る有機ＥＬ素子の製造方法の特定の局面では、前記第２材料を含む層の膜厚は、０．１ｎｍ以上１０ｎｍ以下である。
また、本発明の一態様に係る有機ＥＬ素子の製造方法の特定の局面では、前記光透過性を付与する工程は、前記第２材料を含む層内の前記還元性を有する金属全体を変質させることにより行われる。
【００１７】
また、本発明の一態様に係る有機ＥＬ素子の製造方法の特定の局面では、前記光透過性を付与する工程は、前記第２材料を含む層内の前記還元性を有する金属の一部を変質させることにより行われ、前記第２材料を含む層のうち前記還元性を有する金属が変質しない部分の膜厚が、光透過性を有する膜厚となるように、かつ、前記第２材料を含む層のうち前記還元性を有する金属が変質する部分の膜厚が、電子注入性および光透過性を有する膜厚となるように変質が行われる。
【００１８】
また、本発明の一態様に係る有機ＥＬ素子の製造方法の特定の局面では、前記変質しない部分の膜厚と前記変質する部分の膜厚は、それぞれ、０．１ｎｍ以上１０ｎｍ以下である。
また、本発明の一態様に係る有機ＥＬ素子の製造方法の特定の局面では、前記有機発光層の上方に、前記第１材料、前記第２材料および前記第３材料を共蒸着させることにより、前記電子注入輸送層を形成する。
【００１９】
また、本発明の一態様に係る有機ＥＬ素子の製造方法の特定の局面では、前記共蒸着により形成される電子注入輸送層の膜厚は、０．１ｎｍ以上１００ｎｍ以下である。
また、本発明の一態様に係る有機ＥＬ素子の製造方法の特定の局面では、前記有機発光層の上方に、前記第３材料を含む層、前記第１材料と前記第２材料を含む層を順次形成することにより、前記電子注入輸送層を形成する。
【００２０】
また、本発明の一態様に係る有機ＥＬ素子の製造方法の特定の局面では、前記導電性酸化物は、酸化インジウムスズまたは酸化インジウム亜鉛である。
また、本発明の一態様に係る有機ＥＬ素子の製造方法の特定の局面では、前記還元性を有する金属は、アルミニウムである。
また、本発明の一態様に係る有機ＥＬ素子の製造方法の特定の局面では、前記光透過性を付与する工程において、前記還元性を有する金属を酸化または窒化することにより、前記第２材料に光透過性が付与される。
【００２１】
また、本発明の一態様に係る有機ＥＬ素子の製造方法の特定の局面では、前記還元性を有する金属は、チタンである。
また、本発明の一態様に係る有機ＥＬ素子の製造方法の特定の局面では、前記光透過性を付与する工程において、前記還元性を有する金属を酸化することにより、前記第２材料に光透過性が付与される。
【００２２】
また、本発明の一態様に係る有機ＥＬ素子の製造方法の特定の局面では、前記第１材料は、リチウムキノリン、フッ化リチウム、フッ化ナトリウムのいずれかである。
本発明の一態様に係る有機ＥＬ素子は、基板上に形成された陽極と、前記陽極の上方に形成された有機発光層と、前記有機発光層の上方に形成され、アルカリ金属化合物およびアルカリ土類金属化合物の少なくとも一方からなる第１材料、アルカリ金属およびアルカリ土類金属を除く金属からなる第２材料、および電子輸送性を有する第３材料を含む電子注入輸送層と、前記電子注入輸送層の上に形成された光透過性を有する陰極と、を含む。
【００２３】
また、本発明の一態様に係る有機ＥＬ素子の特定の局面では、前記アルカリ金属およびアルカリ土類金属を除く金属は、前記第１材料を構成するアルカリ金属またはアルカリ土類金属に対して還元性を有する。
また、本発明の一態様に係る有機ＥＬ素子の特定の局面では、前記電子注入輸送層は、前記第１材料と前記第３材料を含む層、前記第２材料を含む層が順次、前記有機発光層上に形成されてなる。
【００２４】
また、本発明の一態様に係る有機ＥＬ素子の特定の局面では、前記第２材料を含む層の膜厚は、０．１ｎｍ以上１０ｎｍ以下である。
また、本発明の一態様に係る有機ＥＬ素子の特定の局面では、前記電子注入輸送層は、前記第１材料と前記第３材料を含む層、前記第２材料の化合物であって光透過性を有するものからなる層が順次、前記有機発光層上に形成されてなる。
【００２５】
また、本発明の一態様に係る有機ＥＬ素子の特定の局面では、前記第１材料と前記第３材料を含む層における、前記第２材料の化合物であって光透過性を有するものからなる層の近傍では、前記第１材料からアルカリ金属またはアルカリ土類金属が解離している。
また、本発明の一態様に係る有機ＥＬ素子の特定の局面では、前記電子注入輸送層は、前記第１材料と前記第３材料を含む層、前記第２材料のみからなる層、前記第２材料の化合物であって光透過性を有するものからなる層が順次、前記有機発光層上に形成されてなる。
【００２６】
また、本発明の一態様に係る有機ＥＬ素子の特定の局面では、前記第２材料のみからなる層の膜厚と、前記第２材料の化合物であって光透過性を有するものからなる層の膜厚は、それぞれ、０．１ｎｍ以上１０ｎｍ以下である。
また、本発明の一態様に係る有機ＥＬ素子の特定の局面では、前記第１材料と前記第３材料を含む層における、前記第２材料のみからなる層の近傍では、前記第１材料からアルカリ金属またはアルカリ土類金属が解離している。
【００２７】
また、本発明の一態様に係る有機ＥＬ素子の特定の局面では、前記電子注入輸送層は、前記第３材料を含む層、前記第１材料と前記第２材料を含む層が順次、前記有機発光層上に形成されてなる。
また、本発明の一態様に係る有機ＥＬ素子の特定の局面では、前記陰極は、酸化インジウムスズまたは酸化インジウム亜鉛からなる。
【００２８】
また、本発明の一態様に係る有機ＥＬ素子の特定の局面では、前記第２材料は、アルミニウムまたはチタンである。
また、本発明の一態様に係る有機ＥＬ素子の特定の局面では、前記第２材料の化合物であって光透過性を有するものは、酸化アルミニウム、窒化アルミニウムおよび酸化チタンのいずれかである。
【００２９】
また、本発明の一態様に係る有機ＥＬ素子の特定の局面では、前記第１材料は、リチウムキノリン、フッ化リチウム、フッ化ナトリウムのいずれかである。
≪実施の態様１≫
［有機ＥＬパネルの構成］
図１は、有機ＥＬパネル１０の構成を示す部分断面図である。有機ＥＬパネル１０は、例えば、同図上側を表示面とする、いわゆるトップエミッション型の有機ＥＬパネルである。有機ＥＬパネル１０は、赤（Ｒ），緑（Ｇ），青（Ｂ）の何れかの発光色に対応する有機発光層１６を有する有機ＥＬ素子をサブピクセル１００とし、サブピクセル１００がマトリクス状に配設されている。
【００３０】
図１に示すように、有機ＥＬパネル１０は、その主な構成として、陽極１２、有機発光層１６、電子注入輸送層１７、陰極１８を備える。
＜基板１１、陽極１２、ＩＴＯ層１３＞
基板１１は有機ＥＬパネル１０の基材となる部分であり、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、またはアルミナ等の絶縁性材料のいずれかで形成することができる。
【００３１】
図示していないが、基板１１の表面には有機ＥＬ素子を駆動するためのＴＦＴ（薄膜トランジスタ）が形成されており、その上方に陽極１２が形成されている。陽極１２は、例えば、ＡＰＣ（銀、パラジウム、銅の合金）、ＡＲＡ（銀、ルビジウム、金の合金）、ＭｏＣｒ（モリブデンとクロムの合金）、ＮｉＣｒ（ニッケルとクロムの合金）等で形成することができる。
【００３２】
ＩＴＯ層１３は、陽極１２と正孔注入層１４の間に介在し、各層間の接合性を良好にする機能を有する。
＜正孔注入層１４＞
正孔注入層１４は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物、あるいは、ＰＥＤＯＴ（ポリチオフェンとポリスチレンスルホン酸との混合物）などの導電性ポリマー材料からなる層である。上記のうち、酸化金属からなる正孔注入層１４は、正孔を安定的に、または正孔の生成を補助して、有機発光層１６に対し正孔を注入および輸送する機能を有する。
【００３３】
＜バンク１５＞
正孔注入層１４の表面には、有機発光層１６の形成領域となる開口部１５ａを区画するためのバンク１５が設けられている。バンク１５は一定の台形断面を持つように形成されており、絶縁性の有機材料（例えばアクリル系樹脂、ポリイミド系樹脂、ノボラック型フェノール樹脂等）からなる。
【００３４】
図２は、有機ＥＬパネル１０におけるバンク１５を示す模式平面図である。本実施の態様に係る有機ＥＬパネル１０では、一例としてラインバンク（ライン状のバンク）１５を採用している。具体的には、バンク１５は、各々がＹ軸方向に延伸形成され、Ｘ軸方向において隣接する各サブピクセル１００間を区画している。そして、サブピクセル１００は、バンク１５により区画された領域ごとに、発光色が異なるように形成されており、例えば、Ｒのサブピクセル１００（Ｒ），Ｇのサブピクセル１００（Ｇ），Ｂのサブピクセル１００（Ｂ）の３つのサブピクセルの組み合わせで１画素（１ピクセル）を構成する。
【００３５】
なお、図１に示す部分断面図は、図２におけるＡ−Ａ’断面図に相当する。
＜有機発光層１６＞
図１に戻り、バンク１５の開口部１５ａにより区画された正孔注入層１４の表面には、Ｒ，Ｇ，Ｂのいずれかの発光色に対応する有機発光層１６が形成されている。有機発光層１６は、キャリアの再結合による発光を行う部位であり、Ｒ，Ｇ，Ｂのいずれかの色に対応する有機材料を含むように構成されている。
【００３６】
有機発光層１６として用いることが可能な材料としては、ポリパラフェニレンビニレン（ＰＰＶ）、ポリフルオレンや、例えば、特許公開公報（特開平５−１６３４８８号公報）に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質等が挙げられる。
【００３７】
＜電子注入輸送層１７＞
前記有機発光層の上方に形成された電子注入輸送層１７は、陰極１８から注入された電子を有機発光層１６へ注入および輸送する機能を有する。電子注入輸送層１７は、アルカリ金属化合物およびアルカリ土類金属化合物の少なくとも一方からなる第１材料、アルカリ金属およびアルカリ土類金属を除く金属からなる第２材料、および電子輸送性を有する第３材料を含んでなる。
【００３８】
第１材料としては、例えば、リチウムキノリン等に代表されるキノリノールまたはフタロシアニンを配位子とする有機金属錯体、フッ化リチウム，フッ化ナトリウム等に代表されるアルカリ金属（Ｌｉ，Ｎａ，Ｃｓ，Ｍｇ等がある。）またはアルカリ土類金属（Ｃａ，Ｓｒ，Ｂａ等がある。）の酸化物、フッ化物、窒化物等が挙げられる。
第２材料はアルカリ金属およびアルカリ土類金属を除く金属からなると述べたが、具体的には、前記第１材料を構成するアルカリ金属またはアルカリ土類金属に対して還元性を有する金属からなる。本実施の態様の第２材料は、単体のアルミニウムである。
【００３９】
第３材料としては、例えば、ニトロ置換フルオレノン誘導体、チオピランジオキサイド誘導体、ジフェキノン誘導体、ペリレンテトラカルボキシル誘導体、アントラキノジメタン誘導体、フレオレニリデンメタン誘導体、アントロン誘導体、オキサジアゾール誘導体、ペリノン誘導体、キノリン錯体誘導体等が挙げられる（いずれも特開平５−１６３４８８号公報に記載）。
【００４０】
電子注入輸送層１７における陰極１８の近傍では、第１材料からアルカリ金属またはアルカリ土類金属が解離している。第１材料からアルカリ金属またはアルカリ土類金属が解離していることで、特許文献１，２に係る有機ＥＬ素子９０と同様の原理により、陰極１８の準位と有機発光層１６の準位との間に新たな準位が形成される。この結果、陰極１８から有機発光層１６への電子注入障壁が小さくなり、高い電子注入効率が得られる。第１材料からのアルカリ金属またはアルカリ土類金属が解離は、製造工程中において第３材料の有する還元力によりなされるものである。この詳細については、有機ＥＬパネルの製造方法の項で述べる。
【００４１】
なお、新たな準位の形成には最低限アルカリ金属またはアルカリ土類金属が存在していればよいが、これらの金属は単体の状態では不安定である（化学的に活性である）。そのためこれらの金属は、アルカリ金属化合物およびアルカリ土類金属化合物の状態で第１材料に含有させることとしている。
さらに、電子注入輸送層１７において、第２材料は、当該第２材料の化合物として存在している。この第２材料の化合物は光透過性を有するものであり、本実施の態様においては酸化アルミニウムである。このような構成とすることで、有機発光層１６からの出射光は電子注入輸送層１７を透過することができる。また、後述するように、電子注入輸送層１７上に形成される陰極１８も光透過性を有するため、陰極１８が有機発光層１６からの出射光を遮ることもない。この結果、トップエミッション型の有機ＥＬパネル１０を構成することが可能である。
【００４２】
ここで、有機ＥＬパネル１０の製造工程において、電子注入輸送層１７を形成する工程中および当該工程の直後は、第２材料はアルミニウムの単体の状態で電子注入輸送層１７に含まれている。電子注入輸送層１７中に含まれる酸化アルミニウムは、光透過性を付与する工程を経ることにより、単体のアルミニウムが変質した結果生成されたものである。なお、ここでの「アルミニウムが変質」とは、アルミニウムが化学反応を起こすことを指す。
【００４３】
光透過性を付与する工程は電子注入輸送層１７を形成する工程の後に行われるものであり、本実施の態様においては陰極１８を形成する工程と同時に行われる。この詳細は後ほど説明する。
＜陰極１８＞
トップエミッション型有機ＥＬパネルを実現するため、本実施の態様において電子注入輸送層１７の上に形成された陰極１８は、例えば、ＩＴＯ、ＩＺＯ等の光透過性を有する導電性酸化物材料で形成されている。
【００４４】
＜封止層１９＞
陰極１８の上に形成された封止層１９は、有機ＥＬパネル１０内に浸入した水分又は酸素から有機発光層１６および陰極１８を保護するために設けられている。有機ＥＬパネル１０はトップエミッション型であるため、封止層１９の材料としては、例えば、ＳｉＮ（窒化シリコン）、ＳｉＯＮ（酸窒化シリコン）等の光透過性材料が採用されている。
【００４５】
＜その他＞
特に図示していないが、封止層１９の上方には、基板１１と対向する封止基板が設けられる。さらに、封止層１９と封止基板とでできる空間に、有機ＥＬパネル１０内に水分又は酸素が浸入するのを防ぐ目的で絶縁性材料からなる絶縁層を充填することとしてもよい。有機ＥＬパネル１０はトップエミッション型であるため、絶縁層に用いる材料としては、ＳｉＮ、ＳｉＯＮ等の光透過性材料で形成される必要がある。
【００４６】
また、正孔注入層１４と有機発光層１６との間に、正孔注入層１４から有機発光層１６への正孔の輸送を促進させる正孔輸送層をさらに形成することとしてもよい。正孔輸送層として用いる材料としては、例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポリフィリン化合物、芳香族第三級アミン化合物、スチリルアミン化合物、ブタジエン化合物、ポリスチレン誘導体、ヒドラゾン誘導体、トリフェニルメタン誘導体、テトラフェニルベンジン誘導体が挙げられる（いずれも特開平５−１６３４８８号公報に記載）。
【００４７】
［有機ＥＬパネルの製造方法］
まず、基板１１をスパッタ成膜装置のチャンバー内に載置する。そしてチャンバー内に所定のスパッタガスを導入し、反応性スパッタ法、真空蒸着法等に基づき陽極１２を成膜する（図３（ａ））。
引き続き、上記のチャンバー内で、スパッタ法に基づき陽極１２上にＩＴＯ層１３を形成する（図３（ｂ））。次に、ＩＴＯ層１３の各表面を含む基板１１の表面に対し、正孔注入層１４を形成する（図３（ｂ））。正孔注入層１４はスパッタリング法などを用いて製膜した金属膜の後酸化や、リアクティブスパッタリング法などによる金属酸化物の製膜によって形成する。
【００４８】
次に、バンク材料として、例えば感光性のレジスト材料、好ましくはフッ素系材料を含有するフォトレジスト材料を用意する。このバンク材料を正孔注入層１４上に一様に塗布し、プリベークした後、開口部１５ａを形成できるようなパターンを有するマスクを重ねる。そして、マスクの上から感光させた後、未硬化の余分なバンク材料を現像液で洗い出す。最後に純水で洗浄することでバンク１５が完成する（図３（ｃ））。
【００４９】
次に、バンク１５の開口部１５ａ（図３（ｃ））に対し、インクジェット法に基づき、有機発光層を構成する材料および溶媒を含んでなるインク１６ａを滴下し（図４（ａ））、溶媒を揮発除去させる。これにより有機発光層１６が形成される（図４（ｂ））。なお、有機発光層１６の形成方法はインクジェット法に限定されず、例えば、グラビア印刷法、ディスペンサー法、ノズルコート法、凹版印刷、凸版印刷等の公知の方法により形成することとしてもよい。
【００５０】
図４（ｃ），図５（ａ），図５（ｂ）は、電子注入輸送層１７を形成する工程、第２材料に光透過性を付与する工程、陰極１８を形成する工程を示している。
まず、図４（ｃ）に示すように、有機発光層１６の上方に第１材料と第３材料を含む層２０を形成する。以下、第１材料と第３材料を含む層２０を、第１混合層２０と記載する。第１混合層２０は、例えば、共蒸着法、共スパッタ法等に基づき成膜することができる。第１混合層２０の成膜対象である有機発光層１６への損傷を低減したい場合には、共蒸着法で行うことがより望ましい。また、第１混合層２０の膜厚は、光透過性の観点から０．１［ｎｍ］以上１００［ｎｍ］以下とすることが望ましい。
【００５１】
続いて、図５（ａ）に示すように、第１混合層２０の上に単体のアルミニウムからなる層２２を成膜する。以下、単体のアルミニウムからなる層２２を、アルミニウム層２２と記載する。アルミニウム層２２は、第１混合層２０と同じく蒸着法、スパッタ法等に基づき成膜することができるが、有機発光層１６への損傷を低減したい場合には蒸着法で行うことがより望ましい。また、アルミニウム層２２の膜厚は、光透過性の観点から０．１［ｎｍ］以上１０［ｎｍ］以下とすることが望ましい。このように、本実施の態様では第１混合層２０、アルミニウム層２２を順次形成することにより、電子注入輸送層１７’を形成する。
【００５２】
電子注入輸送層１７’を形成する工程中、電子注入輸送層１７中にて第１混合層２０中の第１材料とアルミニウム層２２とが作用することで、第１材料に含まれるアルカリ金属またはアルカリ土類金属が還元される。この際、熱処理等の別途の処理は不要である。これにより、第１材料に含まれるアルカリ金属またはアルカリ土類金属が解離し、それに基づく準位が第１混合層２０とアルミニウム層２２の界面に形成される。
【００５３】
次に、図５（ｂ）に示すように、電子注入輸送層１７’の上に光透過性を有する陰極１８を形成する。具体的には、ＩＴＯ、ＩＺＯ等の透明導電性酸化物を蒸着法やスパッタ法等により成膜する。このとき、本実施の態様のように陰極１８の材料として導電性酸化物を用いた場合には、導電性酸化物を電子注入輸送層１７’上に形成することによりアルミニウム層２２全体が酸化し、酸化アルミニウムからなる層２１が形成される（図５（ｂ））。以下、酸化アルミニウムからなる層２１を、酸化アルミニウム層２１と記載する。
【００５４】
ＩＴＯ等の透明導電膜をスパッタ法に基づき成膜する際に用いるターゲットとしては、インジウムとスズの合金ターゲットや、酸化インジウム（Ｉｎ2Ｏ3）と酸化スズ（ＳｎＯ2）の焼結体でできた酸化物ターゲットが知られている。どちらのターゲットを用いる場合であっても、チャンバー内に酸素が導入される。チャンバー内に導入されたこの酸素により、単体のアルミニウムが酸化される。また、単体のアルミニウムよりも酸化アルミニウムに方が熱力学的に安定であるため、アルミニウム層２２の膜厚やチャンバー内の酸素濃度、基板温度などによっては、アルミニウム層２２における陰極１８側の領域だけでなく、アルミニウム層２２全体を酸化させることが可能である。
【００５５】
このように、本実施の態様によれば、光透過性を付与する工程中に陰極を形成する工程がなされることになる。これにより、単体のアルミニウムからなる第２材料に光透過性が付与され、電子注入輸送層１７が形成されるとともに、陰極１８が形成される。
なお、電子注入輸送層１７’を形成する工程において、第１混合層２０で一旦アルカリ金属またはアルカリ土類金属の解離が起これば、解離した金属は電子注入輸送層１７中で安定に存在することができると考えられる。したがって、電子注入輸送層１７’を形成する工程より後にさらなる解離が起こらなくとも新たな準位が形成された状態が維持され、有機ＥＬパネル１０の使用中は高い電子注入性が維持されると考えられる。電子注入輸送層１７’を形成する工程より後には、第２材料はアルミニウムと単体として存在している必要はないため、本実施の態様においては、単体のアルミニウムからなる第２材料を全て酸化させることとしている。
【００５６】
そして、図５（ｃ）に示すように、蒸着法、スパッタ法等に基づき、陰極１８の上に封止層１９を形成する。なお、上述したように、一般的に蒸着法よりもスパッタ法の方が成膜対象に与える損傷は大きい。しかしながら、有機発光層１６上には電子注入輸送層１７が形成されているので、陰極１８をスパッタ法で成膜したとしても、有機発光層１６は損傷を受けにくい。
【００５７】
以上の工程を経ることで、有機ＥＬパネル１０が完成する。
図６は、実施の形態１に係る有機ＥＬパネル１０の構成を示す部分断面図であり、図１における（Ｘ）の領域を拡大図に相当する。
図６に示すように、図３〜５で説明した製造工程を経た結果完成する有機ＥＬパネル１０における電子注入輸送層１７は、第１混合層２０と酸化アルミニウム層２１からなる２層構造となっている。また、第１混合層２０における酸化アルミニウム層２１（第２材料の化合物であって光透過性を有するものからなる層）の近傍では、第１材料からアルカリ金属またはアルカリ土類金属が解離している。さらに、酸化アルミニウム層２１は、アルミニウム層２２が変質してできた層であるため、酸化アルミニウム層２１の膜厚はアルミニウム層２２の膜厚と等しく、上述したように０．１［ｎｍ］以上１０［ｎｍ］以下である。
【００５８】
ここで、電子注入輸送層１７における光透過性の観点からは、電子注入輸送層１７’中のアルミニウム層２２の一部のみを酸化アルミニウムに変質させるのではなく、本実施の態様のように、全てのアルミニウムを酸化アルミニウムに変質させてしまう方が望ましい。このことについて図７および８を用いて説明する。
図７は、第１混合層、アルミニウム層およびＩＴＯ層からなる積層体の透過スペクトルを示す図である。
【００５９】
透過スペクトルは３種の積層体に対して行った。各積層体において、第１混合層は第１材料（図７において「Ｌｉｑ」と記載）と第３材料（図７において「ＥＴＬ」と記載）を含んでなる。第１材料としてはリチウムキノリンを用いた。アルミニウム層およびＩＴＯ層は、それぞれ図７において「ＡＬ」および「ＩＴＯ」と記載している。また、図７における括弧内の数値は、対応する層の膜厚［ｎｍ］を表している。つまり、各積層体の違いはアルミニウム層の膜厚のみである。また、図７に示すグラフにおいて、横軸が波長［ｎｍ］、縦軸が透過率［％］となっている。
【００６０】
図７に示すスペクトルより、アルミニウム層の膜厚がわずか数ｎｍ変化しただけでも、可視光領域（おおよそ４００〜７８０［ｎｍ］の領域）の光に対する透過率が大きく低下することがわかる。この結果より、本実施の態様のように、全てのアルミニウムを酸化アルミニウムに変質させてしまう方が、電子注入輸送層１７における光透過性の観点からは望ましいことがわかる。
【００６１】
図８は、ガラス基板の透過スペクトルと、ガラス基板と酸化アルミニウム薄膜の積層体の透過スペクトルを示す図である。図８に示すグラフにおいて、横軸が波長［ｎｍ］、縦軸が透過率［％］となっている。また、酸化アルミニウム薄膜の膜厚は９７［ｎｍ］であり、酸化アルミニウム層２１の膜厚よりずっと厚いものである。なお、このスペクトルは非特許文献１に記載のものである。
【００６２】
図８に示すスペクトルから読み取れるように、ガラス基板と酸化アルミニウム薄膜の積層体の透過率は、ガラス基板の透過率に比べると低いが、それでも可視光領域において９０［％］程度という高い透過率を有している。このように、電子注入輸送層１７に酸化アルミニウム層２１が存在していても、電子注入輸送層１７における光透過性には殆ど影響がないことがわかる。
【００６３】
［まとめ］
以上説明したように、本実施の態様によれば、電子注入輸送層を形成する工程にて、第１材料に含まれるアルカリ金属またはアルカリ土類金属が解離されることで、陰極の準位と有機発光層の準位との間に新たな準位が形成される。これにより、電子注入障壁を小さくすることができる結果、電子注入効率を向上させることが可能となる。
【００６４】
また、陰極の材料として透明導電膜を用い、かつ、第２材料に光透過性を付与する工程を施すことにより、有機発光層からの出射光は電子注入輸送層および陰極を透過することができる。このような工程を経て作成された有機ＥＬ素子を用いることにより、トップエミッション型有機ＥＬパネルを構成することができる。さらに、本実施の態様においては、光透過性を付与する工程は陰極を形成する工程と同時になされる。したがって、第２材料に光透過性を付与するためだけに別の工程を行う必要がなく、製造効率の低下を招くことがない。
【００６５】
≪実施の態様１の変形例≫
実施の態様１においては、図５（ｂ）に示したように、アルミニウム層２２の全体を酸化アルミニウムに変質させる例を示したが、アルミニウム層２２の一部のみを酸化アルミニウムに変質させることとしてもよい。本変形例では、アルミニウム層２２の一部のみを酸化アルミニウムに変質させる例について、実施の態様１と相違する点を中心に説明する。
【００６６】
図９は、実施の形態１の変形例に係る有機ＥＬパネルの製造工程例を示す図である。
まず図９（ａ）では、有機発光層１６の上方に第１混合層２０、アルミニウム層２２を順次形成することにより、電子注入輸送層１７’を形成する。ここまでは実施の形態１と同じである。次に、図９（ｂ）に示すように、導電性酸化物を成膜することにより、陰極１８を形成する。このとき、本変形例では、アルミニウム層２２の一部のみ、特に、アルミニウム層２２における陰極１８側の領域のみを酸化させることにより、電子注入輸送層１７Ａが形成される。つまり、光透過性を付与する工程は、第２材料を含む層内の還元性を有する金属の一部を変質させることにより行われる。なお、アルミニウム層２２に対する酸化の進行は、チャンバー内に導入する酸素量等によって調整することが可能である。
【００６７】
陰極１８を形成する工程（図９（ｂ））においては、アルミニウム層２２のうちアルミニウムが酸化しない部分の膜厚が、光透過性を有する膜厚となるように、かつ、アルミニウム層２２のうちアルミニウムが酸化する部分の膜厚が、電子注入性および光透過性を有する膜厚となるように酸化が行われる。具体的には、アルミニウムが酸化しない部分の膜厚とアルミニウムが酸化する部分の膜厚は、それぞれ、０．１［ｎｍ］以上１０［ｎｍ］以下とする。アルミニウムが酸化しない部分の膜厚が１０［ｎｍ］を超えると、光透過性を確保できなくなるおそれがある。また、アルミニウムが酸化する部分の膜厚の膜厚が１０［ｎｍ］を超えると、酸化したアルミは絶縁体であるため、有機発光層１６に正孔を注入することができなくなる恐れがある。
【００６８】
そして最後に、図９（ｃ）に示すように、陰極１８上に封止層１９を形成することにより、有機ＥＬパネルが完成する。
図１０は、実施の形態１の変形例に係る有機ＥＬパネルの構成を示す部分断面図である。
図１０に示すように、図９で説明した製造工程を経た結果完成する有機ＥＬパネルにおける電子注入輸送層１７Ａは、第１混合層２０、アルミニウム層２２および酸化アルミニウム層２１からなる３層構造となっている。また、第１混合層２０におけるアルミニウム層２２（第２材料のみからなる層）の近傍では、第１材料からアルカリ金属またはアルカリ土類金属が解離している。また、上述したように、アルミニウム層２２の膜厚と酸化アルミニウム層２１の膜厚は、それぞれ、０．１［ｎｍ］以上１０［ｎｍ］以下である。
【００６９】
以上、本変形例によっても、トップエミッション型有機ＥＬパネルの実現、高い電子注入効率および製造効率の維持を図ることができる。
≪実施の態様２≫
実施の態様１およびその変形例においては、第１混合層２０、アルミニウム層２２を順次積層することにより電子注入輸送層１７’を形成した上で、電子注入輸送層１７を２層または３層構造とする例について説明した。本実施の態様においては、電子注入輸送層を１層とする例について、実施の態様１およびその変形例と相違する点を中心に説明する。
【００７０】
図１１は、実施の形態２に係る有機ＥＬパネルの製造工程例を示す図である。
まず、図１１（ａ）に示すように、有機発光層１６の上方に第１材料、第２材料および第３材料を共蒸着させることにより電子注入輸送層２７を形成する。共蒸着により、電子注入輸送層２７中にて第１混合層２０中の第１材料とアルミニウム層２２とが作用することで、第１材料に含まれるアルカリ金属またはアルカリ土類金属が解離される。電子注入輸送層２７の膜厚は、０．１［ｎｍ］以上１００［ｎｍ］以下が望ましい。
【００７１】
なお、本実施の態様における電子注入輸送層２７は、共スパッタ法に基づき成膜することも可能であるが、有機発光層１６への損傷低減の観点からは共蒸着法により成膜する方が望ましい。
次に、図１１（ｂ）に示すように、電子注入輸送層２７上に陰極１８を形成する。陰極１８を形成する工程により、電子注入輸送層２７に含まれるアルミニウムは酸化されて酸化アルミニウムとなる。このとき、電子注入輸送層２７における陰極１８を側の領域に含まれるアルミニウムのみが酸化されるようにしてもよいが、光透過性の観点より、電子注入輸送層２７に含まれるアルミニウム全体を酸化アルミニウムに変質させることが望ましい。
【００７２】
最後に、図１１（ｃ）に示すように、陰極１８上に封止層１９を形成することにより、有機ＥＬパネルが完成する。
図１２は、実施の形態２に係る有機ＥＬパネルの構成を示す部分断面図である。
図１２に示すように、図１１で説明した製造工程を経た結果完成する有機ＥＬパネルにおける電子注入輸送層２７は、第１材料、第２材料および第３材料を含んでおり、その構造は１層構造となっている。また、本実施の態様においては、電子注入輸送層２７の全体に亘って第１材料からアルカリ金属またはアルカリ土類金属が解離している。
【００７３】
以上、本実施の態様によっても、トップエミッション型有機ＥＬパネルの実現、高い電子注入効率および製造効率の維持を図ることができる。また、本実施の態様では、第１材料、第２材料および第３材料を含む電子注入輸送層を１工程で形成するため、実施の態様１とその変形例と比較して、製造工程を減らすことが可能である。
≪実施の態様３≫
本実施の態様においては、実施の態様１と同じく電子注入輸送層を２層とする他の例について、実施の態様１と相違する点を中心に説明する。
【００７４】
図１３は、実施の形態３に係る有機ＥＬパネルの製造工程例を示す図である。
まず、１３（ａ）に示すように、有機発光層１６の上方に第３材料を含む層２３を形成する。第３材料を含む層２３は蒸着法、スパッタ法等に基づき成膜することができる。また、第３材料を含む層２３の膜厚は０．１［ｎｍ］以上１００［ｎｍ］以下とすることが望ましい。
【００７５】
続いて、図１３（ｂ）に示すように、第３材料を含む層２３上に、第１材料と第２材料（単体のアルミニウム）を含む層２４を形成する。以下、第１材料と第２材料を含む層２４を、第２混合層２４と記載する。すなわち、本実施の態様においては、有機発光層１６の上方に、第３材料を含む層２３、第２混合層２４を順次形成することにより、電子注入輸送層３７を形成する。第２混合層２４の成膜は、共蒸着法、共スパッタ法等により行うことができる。また、第２混合層２４の膜厚は０．１［ｎｍ］以上１０［ｎｍ］以下とすることが望ましい。
【００７６】
第２混合層２４を形成する工程においては、アルミニウムが第１材料に含まれるアルカリ金属またはアルカリ土類金属を還元することにより、アルカリ金属またはアルカリ土類金属が解離される。
そして、図１３（ｃ）に示すように、電子注入輸送層３７上に導電性酸化物からなる陰極１８を形成する。このとき、第２混合層２４における陰極１８側の領域に存在する単体のアルミニウムは、酸化されて酸化アルミニウムとなり、光透過性が付与される。また、第２混合層２４に含まれるアルミニウムの酸化は、他の実施の態様と同様に、一部だけでなく全体が酸化されることが望ましい。
【００７７】
図示していないが、最後に封止層１９を形成する工程を行うことで、有機ＥＬパネルが完成する。
図１４は、実施の形態３に係る有機ＥＬパネルの構成を示す部分断面図である。
図１４に示すように、図１３で説明した製造工程を経た結果完成する有機ＥＬパネルにおける電子注入輸送層３７は、第３材料を含む層２３、第１材料と第２材料を含む第２混合層２４が順次、有機発光層１６上に形成されてなる２層構造となっている。また、本実施の態様においては、第２混合層２４全体に亘って、第１材料からアルカリ金属またはアルカリ土類金属が解離している。
【００７８】
以上、本実施の態様によっても、トップエミッション型有機ＥＬパネルの実現、高い電子注入効率および製造効率の維持を図ることができる。
［変形例・その他］
以上、実施の態様について説明したが、本発明は上記の実施の態様に限られない。例えば、以下のような変形例等が考えられる。
【００７９】
（１）電子注入輸送層中にアルカリ金属またはアルカリ土類金属のどちらか一方が存在していれば、陰極の準位と有機発光層の準位との間に新たな準位を形成することができる。したがって、第１材料には、必ずしもアルカリ金属化合物またはアルカリ土類金属化合物の両方が含まれている必要はなく、どちらか一方が含まれていれば足りる。
（２）上記の実施の態様においては、陰極を形成する工程を利用して、第２材料に光透過性を付与する工程を行うこととした。換言すると、光透過性を付与する工程中に陰極を形成する工程がなされることとしたが、本発明はこれに限定されない。電子注入輸送層を形成する工程後であって陰極を形成する工程の前に、別途光透過性を付与する工程、すなわち酸化処理を行うこととしてもよい。酸化処理としては、例えば、ＵＶオゾン酸化、熱酸化、酸素プラズマ酸化等の公知の酸化処理を用いることができる。
【００８０】
（３）上記の実施の態様においては、第２材料が単体のアルミニウムからなることとしたが、本発明はこれに限定されない。第２材料は第１材料に含有されているアルカリ金属またはアルカリ土類金属に対して還元性を有する金属であればよく、このような金属としては、アルミニウムのほか、例えばチタン、タングステン等が挙げられる。また、金属以外ではシリコン等がある。
【００８１】
第２材料としてチタンを用いる場合、第２材料の化合物であって光透過性を有するものとしては、例えば、酸化チタン等がある。この場合、実施の態様において述べたアルミニウムの酸化と同様の方法で、単体のチタンを酸化チタンとすることができる。
さらに、第２材料（アルミニウム）の化合物であって光透過性を有するものが酸化アルミニウムであるとして説明したが、本発明はこれに限定されない。このような化合物としては、酸化アルミニウム以外には例えば、窒化アルミニウム等がある。窒化アルミニウムとする場合、光透過性を付与する工程を、電子注入輸送層を形成する工程後であって陰極を形成する工程の前に行う。また、この場合の光透過性を付与する工程は、具体的には、窒化処理である。
【００８２】
（４）上述したように、特許文献１，２に係る有機ＥＬ素子の陰極をＩＴＯ、ＩＺＯ等の透明導電材料に変えたとしても、透明導電材料からなる陰極が陰極としての機能を有するものの、電子注入層に含まれる金属を解離させることはできない。すなわち、陰極としての機能の発現、高いトップエミッション型の実現の両立は図れるものの、高い電子注入性は有しないという問題がある。
【００８３】
また、特許文献１，２に係る有機ＥＬ素子の陰極を、光透過性を有するようなごく薄い膜厚にするという構成も考えられる。しかしながら、今度は陰極の抵抗値が大幅に上昇してしまうため、薄膜からなる陰極が陰極としての機能を有さなくなるという問題がある。すなわち、高い電子注入性、トップエミッション型の実現の両立は図れるものの、陰極としての機能を有しないという問題がある。
【００８４】
一方、本発明の一態様に係る有機ＥＬ素子の製造方法によれば、陰極としての機能の発現、高い電子注入性、およびトップエミッション型の実現のすべてを満たす有機ＥＬ素子を製造することが可能である。
（５）本発明において、ＩＴＯ層、正孔注入層、正孔輸送層、バンクおよび封止層は必須の構成要件ではない。これらの構成を有しない有機ＥＬ素子に対しても、本発明を適用することが可能である。逆に、他の構成要素、例えば、正孔阻止層等をさらに含むこととしてもよい。
【００８５】
（６）上記の実施の態様においては、正孔注入層が基板の上方を覆うように全面に形成されている例を示したが、本発明はこれに限定されない。正孔注入層がＩＴＯ層上のみに形成されていることとしてもよい。また、ＩＴＯ層の側面および上面のみを覆うように形成されていることとしてもよい。
（７）陽極を銀（Ａｇ）系材料で形成する場合には、上記の実施の態様のようにＩＴＯ層をその上に形成することが望ましい。陽極をアルミニウム系材料で形成する場合には、ＩＴＯ層を無くして陽極を単層構造にすることも可能である。
【００８６】
（８）上記の実施の態様において説明した有機ＥＬパネルの製造方法は、単なる一例であり、他の構成要素を形成する工程、例えば、上述した正孔阻止層を形成する工程が含まれていてもよい。また、ＩＴＯ層、正孔注入層、バンクおよび封止層を有しない有機ＥＬ素子を形成する場合には、これらを形成する工程を省略できることは言うまでもない。
また、真空成膜法を用いて成膜すると説明した層を、例えばインクジェット法等の塗布法によって形成することとしてもよいし、逆に、インクジェット法を用いて成膜すると説明した層を、例えば真空成膜法によって形成することとしてもよい。
【００８７】
（９）上記の実施の態様においては、複数の有機ＥＬ素子をサブピクセルとして基板上に集積する構成の有機ＥＬパネルについて説明したが、この例に限定されず、有機ＥＬ素子を単一で用いることも可能である。有機ＥＬ素子を単一で用いるものとしては、例えば、照明装置等が挙げられる。
（１０）上記の実施の態様においては、有機ＥＬパネルをＲ，Ｇ，Ｂを発光色とするフルカラー表示のパネルであるとしたが、本発明はこれに限定されない。有機ＥＬパネルを、Ｒ、Ｇ、Ｂ、白色およびその他単色の有機ＥＬ素子が複数配列されてなる表示パネルとしてもよい。さらに、いずれか１色のみの有機ＥＬ素子を有する単色表示の有機ＥＬパネルとしてもよい。
【００８８】
（１１）上記の実施の態様では、バンク材料として、有機材料が用いられていたが、無機材料も用いることができる。この場合、バンク材料層の形成は、有機材料を用いる場合と同様、例えば塗布等により行うことができる。さらに、上記の有機ＥＬパネルでは、複数のライン状のバンクを並設し、有機発光層をストライプ状に区画するラインバンク方式を採用しているが、本発明はこれに限られない。例えば、バンクを井桁状（格子状）に形成し、バンクによって各サブピクセルの周囲を囲繞する、いわゆるピクセルバンク方式であってもよい。
【００８９】
（１２）本明細書における「Ａはａからなる」には、Ａがａのみを含有している場合だけでなく、製造工程において通常レベルで混入し得る程度に微量の不純物が混入している場合も含まれる。例えば、「第２材料は単体のアルミニウムからなる」には、第２材料がアルミニウムのみを含有している場合だけでなく、アルミニウム以外の微量の不純物が混入している場合も含まれる。
【００９０】
（１３）上記の実施の態様においては、陰極側から光を取り出すトップエミッション型の有機ＥＬパネルに適用可能な有機ＥＬ素子について説明したが、本発明はこれに限定されない。陽極の材料を陰極と同じく透明導電性材料とすることで、陽極側および陰極側の両方から光を取り出す両面発光方式の有機ＥＬパネルにも適用することが可能である。
（１４）上記の実施の態様で使用している、材料、数値等は好ましい例を例示しているだけであり、この態様に限定されることはない。また、本発明の技術的思想の範囲を逸脱しない範囲で、適宜変更は可能である。さらに、各図面における部材の縮尺は実際のものとは異なる。なお、数値範囲を示す際に用いる符号「〜」は、その両端の数値を含む。
【産業上の利用可能性】
【００９１】
本発明の有機ＥＬ素子の製造方法等は、例えば、家庭用もしくは公共施設、あるいは業務用の各種ディスプレイ、テレビジョン装置、携帯型電子機器用ディスプレイ等に用いられる有機ＥＬ素子の製造方法等に好適に利用可能である。
【符号の説明】
【００９２】
１０  有機ＥＬパネル
１１  基板
１２  陽極
１３  ＩＴＯ層
１４  正孔注入輸送層
１５  バンク
１５ａ開口部
１６  有機発光層
１６ａ  インク
１７  混合層
１８  陰極
１９  封止層
２０  第１混合層
２１  酸化アルミニウム層
２２  アルミニウム層
２３  第３材料を含む層
２４  第２混合層
１００  サブピクセル
９０  有機ＥＬ素子
９１  陽極
９２  正孔輸送層
９３  有機発光層
９４  電子注入層
９５  陰極
【図１】
0005939564.tif 000002
【図２】
0005939564.tif 000003
【図３】
0005939564.tif 000004
【図４】
0005939564.tif 000005
【図５】
0005939564.tif 000006
【図６】
0005939564.tif 000007
【図７】
0005939564.tif 000008
【図８】
0005939564.tif 000009
【図９】
0005939564.tif 000010
【図１０】
0005939564.tif 000011
【図１１】
0005939564.tif 000012
【図１２】
0005939564.tif 000013
【図１３】
0005939564.tif 000014
【図１４】
0005939564.tif 000015
【図１５】
0005939564.tif 000016